【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
少なくとも１つの記録範囲を含む記録媒体を管理する方法であって、
オープンである各記録範囲の識別を担持するオープン記録範囲情報を前記記録媒体上に記録することであって、オープンである記録範囲の許容数は最大で予め定められた数であることと、
ある記録範囲がクローズされると、前記オープン記録範囲情報から前記ある記録範囲の識別情報を除去することと
を備えることを特徴とする方法。
【請求項２】
前記ある記録範囲をクローズするとき、前記ある記録範囲の少なくとも一部を第１のデータでパディングすること
をさらに備えることを特徴とする請求項１に記載の方法。
【請求項３】
前記ある記録範囲の少なくとも一部がパディングされているか否かを示すパディング状態情報を前記記録媒体に記録すること
をさらに備えることを特徴とする請求項１に記載の方法。
【請求項４】
前記ある記録範囲の一部は、少なくとも１つの記録単位であることを特徴とする請求項２に記載の方法。
【請求項５】
前記ある記録範囲の一部は、前記ある記録範囲の最後に記録された位置の次の書込み記録可能な位置から開始することを特徴とする請求項２に記載の方法。
【請求項６】
前記第１のデータは、ダミーデータ、ゼロまたは特定のリアルデータであることを特徴とする請求項２に記載の方法。
【請求項７】
前記オープン記録範囲情報において、前記オープンである各記録範囲の識別は、記録範囲番号であることを特徴とする請求項１に記載の方法。
【請求項８】
１以上の記録範囲に関係し、前記記録媒体の記録状態を識別する記録範囲管理情報を前記記録媒体上に記録することをさらに備え、
前記オープン記録範囲情報は、前記記録範囲管理情報の一部であることを特徴とする請求項１に記載の方法。
【請求項９】
前記記録範囲管理情報は、前記記録媒体上のディスク管理領域に記録されることを特徴とする請求項８に記載の方法。
【請求項１０】
前記ある記録範囲は、クローズされると、次の書込み可能なアドレスを持たないことを特徴とする請求項１に記載の方法。
【請求項１１】
前記予め決められた数は、１６であることを特徴とする請求項１に記載の方法。
【請求項１２】
前記ある記録範囲は、最後に記録されたアドレスを有し、前記最後に記録されたアドレスは、前記第１のデータを除くユーザデータで記録された前記ある記録範囲の最終位置を示すことを特徴とする請求項２に記載の方法。
【請求項１３】
少なくとも１つの記録範囲を含む記録媒体を管理する方法であって、
ある記録範囲をクローズするとき、前記ある記録範囲の少なくとも一部をパディングデータでパディングすることと、
前記ある記録範囲の一部がパディングされているか否かを示すパディング状態情報であって、前記ある記録範囲と関連付けられたパディング状態情報を前記記録媒体上に記録することと
を備えることを特徴とする方法。
【請求項１４】
前記パディングすることにおいて、前記ある記録範囲の一部は、前記ある記録範囲の次の書込み可能な領域から開始する少なくとも１つの記録単位であることを特徴とする請求項１３に記載の方法。
【請求項１５】
前記パディングすることにおいて、前記ある記録範囲の一部は、前記ある記録範囲の最後に記録された領域の次の最初のクラスタであることを特徴とする請求項１３に記載の方法。
【請求項１６】
前記パディングにおいて、前記パディングデータは、ゼロであることを特徴とする請求項１３に記載の方法。
【請求項１７】
前記ある記録範囲がクローズされると、オープンである記録範囲の一覧から前記ある記録範囲と関連付けられた記録範囲番号を除去すること
をさらに備えることを特徴とする請求項１３に記載の方法。
【請求項１８】
少なくとも１つの記録範囲と、
オープンである各記録範囲の識別を担持するオープン記録範囲情報とを備え、
オープンである記録範囲の許容数は、最大で予め定められた数であり、ある記録範囲がクローズされると、前記ある記録範囲の識別が前記オープン記録範囲情報から除去されることを特徴とする記録媒体。
【請求項１９】
前記ある記録範囲の少なくとも一部は、前記ある記録範囲がクローズされるとき、第１のデータでパディングされることを特徴とする請求項１８に記載の記録媒体。
【請求項２０】
前記ある記録範囲の少なくとも一部がパディングされたか否かを示すパディング状態情報
をさらに備えたことを特徴とする請求項１８に記載の記録媒体。
【請求項２１】
前記ある記録範囲の一部は、前記ある記録範囲の最後の記録位置の次の書込み可能な位置からの少なくとも１つの記録単位であることを特徴とする請求項１９に記載の記録媒体。
【請求項２２】
前記第１のデータは、ダミーデータ、ゼロまたは特定のリアルデータであることを特徴とする請求項１９に記載の記録媒体。
【請求項２３】
前記オープン記録範囲情報において、前記オープンである記録範囲の識別は、記録範囲番号であることを特徴とする請求項１８に記載の記録媒体。
【請求項２４】
１以上の記録範囲に関係し、前記記録媒体の記録状態を識別する記録範囲管理情報をさらに備え、前記オープン記録範囲情報は、前記記録範囲管理情報の一部であることを特徴とする請求項１８に記載の記録媒体。
【請求項２５】
前記記録範囲管理情報が記録されるディスク管理領域をさらに備えることを特徴とする請求項２４に記載の記録媒体。
【請求項２６】
前記ある記録範囲は、クローズされると、次の書込み可能なアドレスを持たないことを特徴とする請求項１８に記載の記録媒体。
【請求項２７】
前記ある記録範囲は、最後に記録されたアドレスを有し、前記最後に記録されたアドレスは、前記第１のデータを除くユーザデータで記録された前記ある記録範囲の最終位置を示すことを特徴とする請求項１９に記載の記録媒体。
【請求項２８】
少なくとも１つの記録範囲であって、ある記録範囲をクローズするとき、前記あるオープン記録範囲の少なくとも一部がパディングデータでパディングされた記録範囲と、
前記ある記録範囲の一部がパディングされているか否かを示すパディング状態情報であって、前記ある記録範囲と関連付けられたパディング情報と
を備えたことを特徴とする記録媒体。
【請求項２９】
パディングされた前記ある記録範囲の一部は、前記ある記録範囲の次の書込み可能な領域から開始する少なくとも１つの記録単位であることを特徴とする請求項２８に記載の記録媒体。
【請求項３０】
パディングされた前記ある記録範囲の一部は、前記ある記録範囲の最後に記録された領域の次の最初のクラスタであることを特徴とする請求項２８に記載の記録媒体。
【請求項３１】
前記ある記録範囲と関連付けられた記録範囲番号は、前記ある記録範囲がクローズされると、オープンである記録範囲の一覧から除去されることを特徴とする請求項２８に記載の記録媒体。
【請求項３２】
少なくとも１つの記録範囲であって、ある記録範囲をクローズするとき、前記ある記録範囲の少なくとも一部をダミーデータでパディングすることができる少なくとも１つの記録範囲と、
オープンである各記録範囲の記録範囲番号を識別するオープン記録範囲情報と、
前記ある記録範囲の一部がパディングされているか否かを示すパディング状態情報とを備え、
前記ある記録範囲の記録範囲番号は、前記ある記録範囲がクローズされると、前記オープン記録範囲情報から除去されることを特徴とする記録媒体。
【請求項３３】
オープンである記録範囲の許容総数は、最大で予め定められた数であることを特徴とする請求項３２に記載の記録媒体。
【請求項３４】
少なくとも１つの記録範囲を含む記録媒体を管理するための装置であって、
オープンである各記録範囲の識別を担持するオープン記録範囲情報を前記記録媒体上に記録する記録／再生部を備え、
前記オープンである記録範囲の許容数は、最大で予め定められた数であり、
前記記録／再生部は、ある記録範囲がクローズされると、前記ある記録範囲の識別を前記オープン記録範囲情報から除去することを特徴とする装置。
【請求項３５】
少なくとも１つの記録範囲を含む記録媒体を管理するための装置であって、
ある記録範囲をクローズするとき、前記ある記録範囲の少なくとも一部をパディングデータでパディングし、前記ある記録範囲の一部がパディングされたか否かを示すパディング状態情報であって、前記ある記録範囲と関連付けられたパディング状態情報を前記記録媒体上に記録する記録／再生部
を備えたことを特徴とする装置。
【請求項３６】
少なくとも１つの記録範囲を含む記録媒体を管理するための装置であって、
前記記録媒体上の１以上の記録範囲と関係し、前記記録媒体の記録状態を識別する記録範囲管理情報を前記記録媒体上に記録するための記録／再生部を備え、
前記記録範囲管理情報は、オープンである記録範囲の番号を含むオープンである記録範囲の一覧を含み、
オープンである記録範囲の許容数は、最大で予め定められた数であり、前記記録／再生部は、ある記録範囲がクローズされると、前記ある記録範囲の番号を前記オープンである記録範囲の一覧から除去することを特徴とする装置。